(57)【要約】【課題】電源供給に非対応の電子機器に誤って接続されることを有効に防止できるコネクタ装置および伝送ケーブルを提供する。【解決手段】実施形態のコネクタ装置は、電子機器に接続されるコネクタ装置であって、電子機器から入力される信号または電子機器に出力する信号を処理する信号処理部と、信号処理部を動作させる電源として、電子機器から供給される電力を利用する場合にオンされるスイッチと、スイッチがオンされると第１の位置に移動し、スイッチがオフされると第２の位置に移動する可動部材と、を備える。実施形態のコネクタ装置は、可動部材が第１の位置にある場合、電源供給に対応した電子機器に接続可能であるが、電源供給に非対応の電子機器に接続できず、可動部材が前記第２の位置にある場合、電源供給に対応した電子機器と電源供給に非対応の電子機器とのいずれにも接続可能である。【選択図】図３
2020047381.tif 000002
【特許請求の範囲】
【請求項１】
電子機器に接続されるコネクタ装置であって、
電子機器から入力される信号または電子機器に出力する信号を処理する信号処理部と、
前記信号処理部を動作させる電源として、電子機器から供給される電力を利用する場合にオンされるスイッチと、
前記スイッチがオンされると第１の位置に移動し、前記スイッチがオフされると第２の位置に移動する可動部材と、を備え、
前記可動部材が前記第１の位置にある場合、電源供給に対応した電子機器に接続可能であるが、電源供給に非対応の電子機器に接続できず、
前記可動部材が前記第２の位置にある場合、電源供給に対応した電子機器と電源供給に非対応の電子機器とのいずれにも接続可能である、
コネクタ装置。
【請求項２】
前記スイッチがオンされた状態で電源供給に対応した電子機器に接続されると該電子機器からの認証要求に応答し、前記スイッチがオフされた状態で電源供給に対応した電子機器に接続されると該電子機器からの認証要求に応答しない制御部をさらに備える、
請求項１に記載のコネクタ装置。
【請求項３】
前記信号処理部は、電子機器から入力される電気信号を光信号に変換する、
請求項１または２に記載のコネクタ装置。
【請求項４】
前記可動部材は、前記第１の位置にある場合に電源供給に対応した電子機器の給電用端子に接続される受電用端子である、
請求項１乃至３のいずれか一項に記載のコネクタ装置。
【請求項５】
請求項１乃至４のいずれか一項に記載のコネクタ装置と、
前記信号処理部により処理された信号を伝送する伝送路と、を備える伝送ケーブル。
【発明の詳細な説明】
【技術分野】
【０００１】
本発明の実施形態は、コネクタ装置および伝送ケーブルに関する。
【背景技術】
【０００２】
デジタル映像信号を非圧縮で伝送するインタフェースの一例として、ＨＤＭＩ（登録商標）（High-Definition  Multimedia  Interface）が知られている。近年、８Ｋなどの高精細な映像信号を安定的に伝送できるようにするために、ＨＤＭＩの規格に準拠するＨＤＭＩケーブルとして、伝送路に光ファイバを用いたＨＤＭＩアクティブ光ケーブル（ＡＯＣ：Active  Optical  Cable）の開発が進められている。
【０００３】
ＨＤＭＩアクティブ光ケーブルは、電気信号を光信号に変換して伝送するための電力を必要とする。この電力は、これまでの一般的なＨＤＭＩケーブルで扱われる電力よりも大きい。このため、ＨＤＭＩアクティブ光ケーブルを用いて高精細な映像信号を安定的に伝送するためには、ＨＤＭＩアクティブ光ケーブルへの電源供給が必要とされる。こうした背景から、ＨＤＭＩアクティブ光ケーブルを接続する電子機器に対して、ＨＤＭＩアクティブ光ケーブルに電源を供給する機能を持たせることが検討されている。
【０００４】
しかし、ＨＤＭＩアクティブ光ケーブルに対する電源供給に対応した電子機器と、このような電源供給に非対応の電子機器とが混在する状況では、電源供給に非対応の電子機器にＨＤＭＩアクティブ光ケーブルを誤って接続してしまう場合がある。この場合、ＨＤＭＩアクティブ光ケーブルが電源供給に非対応の電子機器に対して想定以上の電源供給を要求してしまい、電子機器の誤動作を招くことがある。
【先行技術文献】
【特許文献】
【０００５】
【特許文献１】特開２００５−１６７８６７号公報
【特許文献２】特開２０１２−１２４８０８号公報
【発明の概要】
【発明が解決しようとする課題】
【０００６】
本発明が解決しようとする課題は、電源供給に非対応の電子機器に誤って接続されることを有効に防止できるコネクタ装置および伝送ケーブルを提供することである。
【課題を解決するための手段】
【０００７】
実施形態のコネクタ装置は、電気機器に接続されるコネクタ装置であって、信号処理部と、スイッチと、可動部材と、を備える。信号処理部は、電気機器から入力される信号または電気機器に出力する信号を処理する。スイッチは、前記信号処理部を動作させる電源として、電子機器から供給される電力を利用する場合にオンされる。可動部材は、前記スイッチがオンされると第１の位置に移動し、前記スイッチがオフされると第２の位置に移動する。実施形態のコネクタ装置は、前記可動部材が前記第１の位置にある場合、電源供給に対応した電子機器に接続可能であるが、電源供給に非対応の電子機器に接続できず、前記可動部材が前記第２の位置にある場合、電源供給に対応した電子機器と電源供給に非対応の電子機器とのいずれにも接続可能である。
【図面の簡単な説明】
【０００８】
【図１】ＨＤＭＩ映像伝送システムの一例を示すブロック図。
【図２】実施形態のＨＤＭＩアクティブ光ケーブルが電源供給に対応したＨＤＭＩソース機器に接続された場合のＨＤＭＩ制御部による処理手順を示すフローチャート。
【図３】実施形態のＨＤＭＩアクティブ光ケーブルの一例を示す図。
【図４】実施形態のＨＤＭＩアクティブ光ケーブルの一例を示す図。
【図５】電源供給に対応したＨＤＭＩソース機器のＨＤＭＩレセプタクルの近傍を示す図。
【図６】電源供給に非対応のＨＤＭＩソース機器のＨＤＭＩレセプタクルの近傍を示す図。
【図７】変形例のＨＤＭＩドングルの一例を示す図。
【図８】変形例のポータブルディスプレイの一例を示す図。
【発明を実施するための形態】
【０００９】
以下、実施形態に係るコネクタ装置および伝送ケーブルについて、添付図面を参照しながら詳細に説明する。
【００１０】
図１は、実施形態に係るコネクタ装置および伝送ケーブルを適用したＨＤＭＩ映像伝送システムの一例を示すブロック図である。このＨＤＭＩ映像伝送システムは、映像信号を送信する側の電子機器であるＨＤＭＩソース機器１０と、映像信号を受信する側の電子機器であるＨＤＭＩシンク機器２０とが、ＨＤＭＩアクティブ光ケーブル１００を介して接続された構成である。ＨＤＭＩソース機器１０は、例えば、光学式ディスクプレーヤ、セットトップボックス、ビデオカメラ、パーソナルコンピュータ、スマートフォンなどである。ＨＤＭＩシンク機器２０は、例えば、テレビジョン受像機、ディスプレイ、プロジェクタ、パーソナルコンピュータ、スマートフォンなどである。
【００１１】
ＨＤＭＩソース機器１０とＨＤＭＩシンク機器２０には、それぞれＨＤＭＩのレセプタクル１３，２１が設けられている。ＨＤＭＩソース機器１０に設けられたレセプタクル１３にＨＤＭＩアクティブ光ケーブル１００のソース側プラグ１１０が装着され、ＨＤＭＩシンク機器２０に設けられたレセプタクル２１にＨＤＭＩアクティブ光ケーブル１００のソース側プラグ１１０が装着されることで、これらＨＤＭＩソース機器１０とＨＤＭＩシンク機器２０とが、ＨＤＭＩアクティブ光ケーブル１００を介して、映像信号（オーディオ信号を含む）を伝送可能に接続される。本実施形態では、ＨＤＭＩアクティブ光ケーブル１００が特許請求の範囲に記載の「伝送ケーブル」に相当し、ＨＤＭＩアクティブ光ケーブル１００のソース側プラグ１１０が特許請求の範囲に記載の「コネクタ装置」に相当する。
【００１２】
ＨＤＭＩソース機器１０からＨＤＭＩシンク機器２０への映像信号の伝送は、ＨＤＭＩアクティブ光ケーブル１００の伝送路（光ファイバ）を用い、TMDS  ch1，TMDS  ch2，TMDS  ch3，TMDS  CLKの４レーンからなるＴＭＤＳ（Transition  Minimized  Differential  Signaling）方式で行われる。すなわち、ＨＤＭＩソース機器１０は、TMDS  ch1，TMDS  ch2，TMDS  ch3の３つのチャンネルを用いて映像データを非圧縮の状態で送信し、TMDS  CLKを用いて映像データに同期したピクセルクロックを送信する。ＨＤＭＩシンク機器２０は、TMDS  ch1，TMDS  ch2，TMDS  ch3の３つのチャンネルを用いて送信される映像信号を、TMDS  CLKを用いて送信されるピクセルクロックに同期して受信する。
【００１３】
なお、ＨＤＭＩソース機器１０からＨＤＭＩシンク機器２０への映像信号の伝送は、ＦＲＬ（Fixed  Rate  Link）と呼ばれる伝送方式により行うようにしてもよい。ＦＲＬ方式の場合、ＴＭＤＳ方式と異なりクロック周波数は固定である。ＦＲＬ方式は、ＴＭＤＳ方式よりも大容量のデータ伝送が可能となる。
【００１４】
また、ＨＤＭＩアクティブ光ケーブル１００は、これらの４レーンの伝送路のほかに、ＨＤＭＩソース機器１０とＨＤＭＩシンク機器２０とを繋ぐラインとして、ＨＰＤ（Hot-Plug-Detect）ライン、ＤＤＣ（Display  Data  Channel）ライン、ＣＥＣ（Consumer  Electronics  Control）ライン、＋５Ｖラインを含む。
【００１５】
ＨＰＤラインは、例えば、ＨＤＭＩソース機器１０がＨＤＭＩシンク機器２０の接続を検知するために利用される。ＤＤＣラインは、例えば、ＨＤＭＩソース機器１０がＨＤＭＩシンク機器２０の能力を認識するために利用される。ＣＥＣラインは、例えば、ＨＤＭＩソース機器１０とＨＤＭＩシンク機器２０の間で制御コマンドを伝送するために利用される。
【００１６】
＋５Ｖラインは、ＨＤＭＩシンク機器２０のＥＤＩＤ（Extended  Display  Identification  Data）の読み取りに必要な電流（少なくとも５５ｍＡ）を流す電源ラインである。本実施形態では、ＨＤＭＩソース機器１０がＨＤＭＩアクティブ光ケーブル１００に対して電源となる電力を供給する際に、例えばこの＋５Ｖラインを利用することができる。なお、ＨＤＭＩアクティブ光ケーブル１００が必要する電力に見合う十分な電流を＋５Ｖラインに流すことができない場合は、＋５Ｖラインのほかに別の電源ラインを設けるようにしてもよい。
【００１７】
また、ＨＰＤライン、ＤＤＣライン、ＣＥＣライン、＋５Ｖラインのいずれか（例えばＤＤＣライン）は、後述のように、ＨＤＭＩアクティブ光ケーブル１００に対する電源供給に対応したＨＤＭＩソース機器１０が、ＨＤＭＩアクティブ光ケーブル１００の認証を行うためにも利用される。なお、以下の説明では、電源供給に対応したＨＤＭＩソース機器１０と電源供給に非対応のＨＤＭＩソース機器１０とを区別する場合は、前者に符号１０Ａ、後者に符号１０Ｂを付して両者を区別するものとする。
【００１８】
ＨＤＭＩソース機器１０は、映像処理部１１とＨＤＭＩ送信部１２とを備える。ＨＤＭＩソース機器１０は、例えば、ＨＰＤラインを利用してＨＤＭＩシンク機器２０の接続を検知すると、ＤＤＣラインを利用してＨＤＭＩシンク機器２０のＥＤＩＤを読み取り、このＥＤＩＤをもとにＨＤＭＩシンク機器２０の推奨解像度を判断する。そして、ＨＤＭＩシンク機器２０に送信する映像信号のフォーマットを、映像処理部１１でＨＤＭＩシンク機器２０の推奨解像度に応じたフォーマットに変換し、ＨＤＭＩ送信部１２からこの映像信号を上述のようにＴＭＤＳ方式で送信する。
【００１９】
ＨＤＭＩシンク機器２０は、ＨＤＭＩ受信部２３と映像処理部２４とを備える。ＨＤＭＩ受信部２３には、ＨＤＭＩシンク機器２０のＥＤＩＤを記憶するＥＤＩＤメモリ２５が設けられている。ＨＤＭＩシンク機器２０は、ＨＤＭＩソース機器１０からＴＤＭＳ方式で映像信号が送信されると、ＨＤＭＩ受信部２３によりこの映像信号を受信する。そして、受信した映像信号に基づいて、映像処理部２４によりディスプレイに映像を表示させるなどの処理が行われる。なお、ＨＤＭＩソース機器１０とＨＤＭＩシンク機器２０は、ＣＥＣラインを用いて制御コマンドの送受信などの機器間通信を行うことも可能である。
【００２０】
ＨＤＭＩソース機器１０から送信される映像信号をＨＤＭＩシンク機器２０に伝送するＨＤＭＩアクティブ光ケーブル１００は、ＨＤＭＩソース機器１０のレセプタクル１３に装着されるソース側プラグ１１０と、ＨＤＭＩシンク機器２０のレセプタクル２１に装着されるシンク側プラグ１３０とを有する。
【００２１】
ソース側プラグ１１０は、端子１１１と、信号処理部１１２と、ＨＤＭＩ制御部１１３と、スイッチ１１４とを備える。端子１１１は、ソース側プラグ１１０がＨＤＭＩソース機器１０のレセプタクル１３に装着されるとレセプタクル１３の端子１４に接触する。これにより、ソース側プラグ１１０がＨＤＭＩソース機器１０に対して電気的に接続される。
【００２２】
信号処理部１１２は、ＨＤＭＩソース機器１０が送信する映像信号を光ファイバよりなる伝送路を用いてＨＤＭＩシンク機器２０に伝送するために、ＨＤＭＩソース機器１０から端子１１１を介して入力される映像信号を、レーザ発振器を用いて電気信号から光信号に変換する。この信号処理部１１２を動作させる電源は、ＨＤＭＩソース機器１０が電源供給に対応したＨＤＭＩソース機器１０Ａであれば、このＨＤＭＩソース機器１０Ａから供給される電力を用いることができる。すなわち、ＨＤＭＩソース機器１０Ａは、接続された伝送ケーブルがＨＤＭＩアクティブ光ケーブル１００であることを認証すると、このＨＤＭＩアクティブ光ケーブル１００に対して電源供給が可能な状態となる。ＨＤＭＩ制御部１１３は、＋５Ｖラインを用いてＨＤＭＩソース機器１０Ａから電力を取得し、信号処理部１１２に供給することができる。
【００２３】
また、ソース側プラグ１１０が例えばＵＳＢ（Universal  Serial  Bus）給電などを行う外部電源などに接続されていれば、信号処理部１１２を動作させるために必要な電力をその外部電源から供給することができる。
【００２４】
ＨＤＭＩ制御部１１３は、ソース側プラグ１１０が電源供給に対応したＨＤＭＩソース機器１０Ａに接続されると、スイッチ１１４がオンされていることを条件として、電源供給に対応したＨＤＭＩソース機器１０Ａからの認証要求に応答する。ＨＤＭＩソース機器１０Ａによる認証要求とＨＤＭＩ制御部１１３による応答は、例えばＤＤＣラインを利用して行われる。ＨＤＭＩ制御部１１３がＨＤＭＩソース機器１０Ａからの認証要求に応答した場合、ＨＤＭＩソース機器１０Ａは、ＨＤＭＩアクティブ光ケーブル１００が接続されていることを認識し、ＨＤＭＩアクティブ光ケーブル１００に対して電源供給が可能な状態となる。
【００２５】
スイッチ１１４は、信号処理部１１２を動作させる電源として、ＨＤＭＩソース機器１０から供給される電力を利用する場合に、ユーザ操作によってオンされるスイッチである。ＨＤＭＩソース機器１０が電源供給に対応したＨＤＭＩソース機器１０Ａであり、このＨＤＭＩソース機器１０Ａから供給される電力を利用して信号処理部１１２を動作させる場合、ユーザはこのスイッチ１１４をオンにした状態で、ソース側プラグ１１０をＨＤＭＩソース機器１０Ａのレセプタクル１３に装着する。これにより、ＨＤＭＩソース機器１０ＡによるＨＤＭＩアクティブ光ケーブル１００の認証が行われ、信号処理部１１２を動作させる電源として、ＨＤＭＩソース機器１０Ａから供給される電力を利用できるようになる。なお、本実施形態では、ＨＤＭＩアクティブ光ケーブル１００を電源供給に非対応のＨＤＭＩソース機器１０Ｂに誤って接続してしまうことを防ぐために、後述のように、スイッチ１１４がオンの状態の場合は、ソース側プラグ１１０をＨＤＭＩソース機器１０Ｂに接続できないようになっている。
【００２６】
一方、例えばソース側プラグ１１０が外部電源に接続されている場合など、信号処理部１１２を動作させる電源としてＨＤＭＩソース機器１０から供給される電力を利用する必要がない場合は、ユーザはこのスイッチ１１４をオフにした状態で、ソース側プラグ１１０をＨＤＭＩソース機器１０のレセプタクル１３に装着する。スイッチ１１４がオフの状態であれば、ＨＤＭＩソース機器１０が電源供給に対応したＨＤＭＩソース機器１０Ａであっても電源供給に非対応のＨＤＭＩソース機器１０Ｂであっても、ソース側プラグ１１０をそのＨＤＭＩソース機器１０のレセプタクル１３に装着することができる。スイッチ１１４がオフの状態でソース側プラグ１１０がＨＤＭＩソース機器１０Ａに接続された場合、ＨＤＭＩ制御部１１３は、ＨＤＭＩソース機器１０からの認証要求に応答しないため、ＨＤＭＩソース機器１０Ａからの電源供給は行われない。
【００２７】
なお、スイッチ１１４をオフにした状態でソース側プラグ１１０をＨＤＭＩソース機器１０に接続する場合の例として、ここではソース側プラグ１１０が外部電源に接続されている場合を想定したが、これに限らない。例えば、ＨＤＭＩアクティブ光ケーブル１００が光ファイバの伝送路のほかに銅線の伝送路を備え、光ファイバの伝送路を用いたアクティブな伝送と銅線の伝送路を用いたパッシブな伝送とを切り替え可能に構成されている場合、銅線の伝送路を用いたパッシブな伝送を行う場合に、スイッチ１１４をオフにした状態でソース側プラグ１１０をＨＤＭＩソース機器１０に接続するようにしてもよい。
【００２８】
シンク側プラグ１３０は、信号処理部１３１と、端子１３２とを備える。端子１３２は、シンク側プラグ１３０がＨＤＭＩシンク機器２０のレセプタクル２１に装着されるとレセプタクル２１の端子２２に接触する。これにより、シンク側プラグ１２０がＨＤＭＩシンク機器２０に対して電気的に接続される。
【００２９】
信号処理部１３１は、光ファイバよりなる伝送路を用いて伝送された映像信号を、端子１３２を介してＨＤＭＩシンク機器２０に出力するために、フォトディテクタを用いて光信号から電気信号に変換する。この信号処理部１３１を動作させる電源は、例えば＋５Ｖラインなどの電源ラインにより供給される電力を用いることができる。すなわち、電源供給に対応したＨＤＭＩソース機器１０Ａから供給される電力を用いてソース側プラグ１１０の信号処理部１１２を動作させる場合、ＨＤＭＩソース機器１０Ａから供給される電力は＋５Ｖラインなどの電源ラインを流れるので、この電力を用いてシンク側プラグ１３０の信号処理部１３１も動作させることができる。また、ソース側プラグ１１０が外部電源に接続されていれば、この外部電源からの電力が＋５Ｖラインなどの電源ラインを流れるので、この電力を用いてシンク側プラグ１３０の信号処理部１３１を動作させることもできる。
【００３０】
図２は、本実施形態のＨＤＭＩアクティブ光ケーブル１００が電源供給に対応したＨＤＭＩソース機器１０Ａに接続された場合のＨＤＭＩ制御部１１３による処理手順を示すフローチャートである。
【００３１】
ＨＤＭＩアクティブ光ケーブル１００がＨＤＭＩソース機器１０Ａに接続されると、ＨＤＭＩソース機器１０Ａは、例えばＤＤＣラインを用いて、ＨＤＭＩアクティブ光ケーブル１００を認証するための認証要求を行う。認証要求は、ＤＤＣラインに限らず、ＨＰＤライン、ＣＥＣライン、＋５Ｖラインのいずれかを用いて行うようにしてもよい。ＨＤＭＩ制御部１１３は、このＨＤＭＩソース機器１０Ａからの認証要求を検知すると（ステップＳ１０１）、ソース側プラグ１１０に設けられたスイッチ１１４がオンされているか否かを確認する（ステップＳ１０２）。
【００３２】
そして、スイッチ１１４がオンされていれば（ステップＳ１０２：Ｙｅｓ）、ＨＤＭＩ制御部１１３は、ＨＤＭＩソース機器１０Ａからの認証要求に応答する（ステップＳ１０３）。これにより、ＨＤＭＩソース機器１０Ａは、ＨＤＭＩアクティブ光ケーブル１００に対して電源供給が可能な状態となる。その後、ＨＤＭＩ制御部１１３は、ＨＤＭＩソース機器１０Ａからの映像信号をＨＤＭＩシンク機器２０へと伝送する際に、ＨＤＭＩソース機器１０Ａから電力を取得して、信号処理部１１２，１３１を動作させる（ステップＳ１０３）。
【００３３】
一方、スイッチ１１４がオフの状態の場合は（ステップＳ１０３：Ｎｏ）、ＨＤＭＩ制御部１１３は、ＨＤＭＩソース機器１０Ａからの認証要求に応答しない。この場合、ＨＤＭＩソース機器１０Ａは電源供給が可能な状態とならないため、ＨＤＭＩソース機器１０Ａからの映像信号をＨＤＭＩシンク機器２０へと伝送する際にＨＤＭＩソース機器１０Ａから電力を取得せずに、例えば外部電源などにより信号処理部１１２，１３１を動作させる（ステップＳ１０５）。
【００３４】
以上のように、本実施形態のＨＤＭＩアクティブ光ケーブル１００は、ソース側プラグ１１０に設けられたスイッチ１１４をオンした状態で電源供給に対応したＨＤＭＩソース機器１０Ａに接続することにより、ＨＤＭＩソース機器１０Ａから供給される電力を利用して、ソース側プラグ１１０の信号処理部１１２やシンク側プラグ１３０の信号処理部１３１を動作させることができる。しかし、電源供給に対応したＨＤＭＩソース機器１０Ａと、電源供給に非対応のＨＤＭＩソース機器１０Ｂとが混在する状況では、ＨＤＭＩアクティブ光ケーブル１００を誤ってＨＤＭＩソース機器１０Ｂに接続し、ＨＤＭＩアクティブ光ケーブル１００がＨＤＭＩソース機器１０Ｂに対して想定以上の電源供給を要求してしまうことにより、ＨＤＭＩソース機器１０Ｂの誤動作を招くことがある。
【００３５】
そこで、本実施形態のＨＤＭＩアクティブ光ケーブル１００では、スイッチ１１４に連動して動く可動部材をソース側プラグ１１０に設け、このスイッチ１１４がオンされた状態では、ソース側プラグ１１０を電源供給に非対応のＨＤＭＩソース機器１０Ｂに接続できないようにしている。
【００３６】
図３および図４は、本実施形態のＨＤＭＩアクティブ光ケーブル１００の一例を示す図である。図３は、スイッチ１１４がオンされた状態のソース側プラグ１１０の外観を示し、図４は、スイッチ１１４がオフされた状態のソース側プラグ１１０の外観を示している。
【００３７】
ソース側プラグ１１０は、図３および図４に示すように、ケーブル本体１２５の端部に設けられており、プラグシェル１２１とハウジング１２２とを備える。プラグシェル１２１の内部には、上述の端子１１１を構成するピンが固定されたピンベースが収容されている。また、ハウジング１２２の内部には、上述の信号処理部１１２を構成するレーザ発振器や制御回路、上述のＨＤＭＩ制御部１１３を構成する半導体チップなどを搭載した基板が収容されている。
【００３８】
ソース側プラグ１１０のハウジング１２２には、上述のスイッチ１１４が操作可能に設けられているとともに、このスイッチ１１４に連動して動く可動部材である突起１２３が設けられている。突起１２３は、例えば樹脂などの絶縁材料よりなり、スイッチ１１４がオフの状態であればハウジング１２２の内部に収容され（図４参照）、スイッチ１１４がオンされるとハウジング１２２からプラグシェル１２１側へと突出する（図３参照）。つまり、この突起１２３は、スイッチ１１４がオンされるとハウジング１２２からプラグシェル１２１側に突出する第１の位置に移動し、スイッチ１１４がオフされるとハウジング１２２の内部に収容される第２の位置に移動する。例えば、スイッチ１１４と突起１２３を所定のリンク機構を介して連結することにより、スイッチ１１４の操作に連動した突起１２３の上述の動きを実現することができる。
【００３９】
なお、図３および図４では、ハウジング１２２の上面および両側面に３つの突起１２３を設けた例を図示しているが、突起１２３の数や位置、形状などはこの例に限らず、任意に定めることができる。
【００４０】
また、ソース側プラグ１１０のハウジング１２２には、例えば、外部給電用のＵＳＢプラグ１４０（図４参照）などが装着される電源レセプタクル１２４が設けられている。この電源レセプタクル１２４に外部給電用のＵＳＢプラグ１４０が装着されると、ソース側プラグ１１０が外部電源に接続される。したがって、この場合は、信号処理部１１２を動作させる電源として、電源供給に対応したＨＤＭＩソース機器１０から供給される電力を利用する必要がない。
【００４１】
図５は、電源供給に対応したＨＤＭＩソース機器１０Ａのレセプタクル１３の近傍を示す図であり、図６は、電源供給に非対応のＨＤＭＩソース機器１０Ｂのレセプタクル１３の近傍を示す図である。図５に示すように、電源供給に対応したＨＤＭＩソース機器１０Ａの筐体１５には、ＨＤＭＩアクティブ光ケーブル１００のソース側プラグ１１０がレセプタクル１３に装着されたときに、ソース側プラグ１１０の突起１２３を収容可能な凹部１６が設けられている。一方、電源供給に非対応のＨＤＭＩソース機器１０Ｂの筐体１５には、図６に示すように、このような凹部１６は設けられていない。
【００４２】
したがって、ＨＤＭＩアクティブ光ケーブル１００のソース側プラグ１１０は、突起１２３がハウジング１２２からプラグシェル１２１側へと突出した状態（第１の位置）にある場合、電源供給に対応したＨＤＭＩソース機器１０Ａのレセプタクル１３に装着することはできるが、電源供給に非対応のＨＤＭＩソース機器１０Ｂのレセプタクル１３には、突起１２３が筐体１５に干渉するため装着できない。すなわち、突起１２３が第１の位置にある場合、ソース側プラグ１１０は、電源供給に対応したＨＤＭＩソース機器１０Ａに接続可能であるが、電源供給に非対応のＨＤＭＩソース機器１０Ｂには接続できない。
【００４３】
一方、突起１２３がハウジング１２２の内部に収容された状態（第２の位置）にある場合は、ＨＤＭＩアクティブ光ケーブル１００のソース側プラグ１１０は、電源供給に対応したＨＤＭＩソース機器１０Ａのレセプタクル１３に装着することも、電源供給に非対応のＨＤＭＩソース機器１０Ｂのレセプタクル１３に装着することもできる。すなわち、突起１２３が第２の位置にある場合、ソース側プラグ１１０は、電源供給に対応したＨＤＭＩソース機器１０Ａと電源供給に非対応のＨＤＭＩソース機器１０Ｂとのいずれにも接続可能である。
【００４４】
ＨＤＭＩアクティブ光ケーブル１００を使用するユーザは、信号処理部１１２，１３１を動作させる電源としてＨＤＭＩソース機器１０から供給される電力を利用する場合、ソース側プラグ１１０に設けられたスイッチ１１４をオンする。スイッチ１１４がオンされると、ソース側プラグ１１０に設けられた突起１２３がハウジング１２２からプラグシェル１２１側へと突出した状態となる。この場合、ＨＤＭＩアクティブ光ケーブル１００は、電源供給に対応したＨＤＭＩソース機器１０Ａには接続可能であるが、電源供給に非対応のＨＤＭＩソース機器１０Ｂには接続できない。したがって、ＨＤＭＩアクティブ光ケーブル１００を誤ってＨＤＭＩソース機器１０Ｂに接続してしまうことがなく、ＨＤＭＩソース機器１０Ｂに対して想定以上の電源供給を要求して誤動作を招くといった不都合を有効に防止することができる。
【００４５】
また、スイッチ１１４がオンされた状態でソース側プラグ１１０がＨＤＭＩソース機器１０Ａのレセプタクル１３に装着されると、ＨＤＭＩソース機器１０ＡによるＨＤＭＩアクティブ光ケーブル１００の認証を経て、ＨＤＭＩソース機器１０Ａが供給する電力が利用可能な状態となる。ＨＤＭＩアクティブ光ケーブル１００は、このＨＤＭＩソース機器１０Ａが供給する電力を利用して信号処理部１１２，１３１を動作させ、ＨＤＭＩソース機器１０ＡからＨＤＭＩシンク機器２０へと、高精細な映像信号を適切に伝送することができる。
【００４６】
一方、例えばソース側プラグ１１０が外部電源に接続されている場合など、信号処理部１１２，１３１を動作させる電源としてＨＤＭＩソース機器１０から供給される電力を利用しない場合、ユーザは、ソース側プラグ１１０に設けられたスイッチ１１４をオフする。スイッチ１１４がオフされると、ソース側プラグ１１０に設けられた突起１２３がハウジング１２２の内部に収容された状態となる。この場合、ＨＤＭＩアクティブ光ケーブル１００は、電源供給に対応したＨＤＭＩソース機器１０Ａにも電源供給に非対応のＨＤＭＩソース機器１０Ｂにも接続できる。
【００４７】
なお、スイッチ１１４がオフされた状態でソース側プラグ１１０がＨＤＭＩソース機器１０Ａのレセプタクル１３に装着された場合は、ソース側プラグ１１０のＨＤＭＩ制御部１１３がＨＤＭＩソース機器１０Ａからの認証要求に応答しない。この場合、ＨＤＭＩソース機器１０Ａは電源供給が可能な状態とならないため、ＨＤＭＩソース機器１０Ａから不用意に電力を取得することもない。
【００４８】
以上、具体的な例を挙げながら詳細に説明したように、本実施形態のＨＤＭＩアクティブ光ケーブル１００は、ソース側プラグ１１０に設けられたスイッチ１１４をオンして突起１２３を突出させることにより、電源供給に対応したＨＤＭＩソース機器１０Ａには接続可能であるが、電源供給に非対応のＨＤＭＩソース機器１０Ｂには接続できない状態とすることができる。したがって、ＨＤＭＩソース機器１０から供給される電力を利用する場合に、ＨＤＭＩアクティブ光ケーブル１００を誤って電源供給に非対応のＨＤＭＩソース機器１０Ｂに接続してしまうことがなく、ＨＤＭＩソース機器１０Ｂに対して想定以上の電源供給を要求して誤動作を招くといった不都合を有効に防止することができる。
【００４９】
また、本実施形態のＨＤＭＩアクティブ光ケーブル１００は、ソース側プラグ１１０に設けられたスイッチ１１４をオフして突起１２３をハウジング１２２の内部に収容することにより、電源供給に対応したＨＤＭＩソース機器１０Ａにも電源供給に非対応のＨＤＭＩソース機器１０Ｂにも接続可能となる。したがって、例えばソース側プラグ１１０が外部電源に接続されている場合など、ＨＤＭＩソース機器１０からの電力を利用しない場合は、電源供給に対応したＨＤＭＩソース機器１０Ａだけでなく、電源供給に非対応のＨＤＭＩソース機器１０Ｂにも接続することができ、汎用性を持たせることができる。
【００５０】
（変形例１）
なお、上述の実施形態では、スイッチ１１４に連動して動く可動部材として、樹脂などの絶縁材料よりなる突起１２３を例示したが、これに限らない。例えば、スイッチ１１４に連動して動く可動部材が、上述の端子１１１とは異なる新たな端子として構成されていてもよい。例えば、上述の＋５Ｖラインとは別に、ＨＤＭＩソース機器１０Ａから供給される電力を流す電源ラインを設けた場合、この電源ラインに対応するソース側プラグ１１０側の受電用端子を、スイッチ１１４に連動して動く可動部材としてもよい。この場合、可動部材である受電用端子は、スイッチ１１４がオンされて第１の位置に移動した状態でソース側プラグ１１０がＨＤＭＩソース機器１０Ａのレセプタクル１３に装着されると、ＨＤＭＩソース機器１０Ａ側の給電用端子に接続される。これにより、ＨＤＭＩソース機器１０Ａから供給される電力が電源ラインを流れ、信号処理部１１２，１３１を動作させる電源として利用することが可能となる。
【００５１】
（変形例２）
また、上述の実施形態は、伝送路に光ファイバを用いたＨＤＭＩアクティブ光ケーブル１００への適用例であるが、本発明は、伝送路に銅線を用いたＨＤＭＩアクティブケーブルに適用することもできる。ＨＤＭＩアクティブケーブルは、ＨＤＭＩソース機器１０からの映像信号を電気信号のままＨＤＭＩシンク機器２０に伝送し、伝送に伴う電気信号の減衰を補正する機能を持つ。具体的には、シンク側プラグ１３０の信号処理部１３１が、電気信号の波形を補正するためのイコライザとして構成される。この場合、シンク側プラグ１３０の信号処理部１３１（イコライザ）を動作させるための電源として、ＨＤＭＩソース機器１０から供給される電力を利用する場合に、スイッチ１１４がオンされる。
【００５２】
（変形例３）
また、上述の実施形態は、ＨＤＭＩソース機器１０からＨＤＭＩシンク機器２０へと映像信号を伝送するＨＤＭＩアクティブ光ケーブル１００への適用例であるが、本発明は、ＨＤＭＩシンク機器２０に直接接続されるＨＤＭＩソース機器１０や、ＨＤＭＩソース機器１０に直接接続されるＨＤＭＩシンク機器２０に対して適用することもできる。
【００５３】
例えば、ＨＤＭＩソース機器１０が、図７に示すようにＨＤＭＩドングル２００として構成され、外部電源またはＨＤＭＩシンク機器２０からの電力供給を受けて動作する場合、このＨＤＭＩドングル２００に、上述のＨＤＭＩアクティブ光ケーブル１００のソース側プラグ１１０と同等の機能を持たせる。すなわち、ＨＤＭＩドングル２００の筐体２０１に、ＨＤＭＩシンク機器２０からの電力供給を受けて動作する場合にオンされるスイッチ１１４や、このスイッチ１１４に連動して動く突起１２３などを設ける。また、ＨＤＭＩドングル２００に対する電源供給に対応したＨＤＭＩシンク機器２０には、スイッチ１１４がオンされた状態のＨＤＭＩドングル２００がレセプタクル２１に装着されたときに、突起１２３が収容される凹部１６を設ける。なお、電源供給に非対応のＨＤＭＩシンク機器２０には凹部１６が設けられない。
【００５４】
以上のように構成されるＨＤＭＩドングル２００は、スイッチ１１４がオンされた状態では電源供給に対応したＨＤＭＩシンク機器２０に接続可能であるが、電源供給に非対応のＨＤＭＩシンク機器２０に接続できない。したがって、上述の実施形態と同様に、電源供給に非対応のＨＤＭＩシンク機器２０にＨＤＭＩドングル２００を誤って接続してしまい、ＨＤＭＩシンク機器２０の誤動作を招くといった不都合を有効に防止することができる。
【００５５】
また、ＨＤＭＩシンク機器２０が、例えば図８に示すように、ディスプレイ本体３０１と、ディスプレイ本体３０１をＨＤＭＩシンク機器２０に接続するための接続ケーブル３０２とを持つポータブルディスプレイ３００として構成され、外部電源またはＨＤＭＩシンク機器２０からの電力供給を受けて動作する場合、接続ケーブル３０２の端部のコネクタを、上述のＨＤＭＩアクティブ光ケーブル１００のソース側プラグ１１０と同等の構成とする。そして、スイッチ１１４がオンされた状態では電源供給に対応したＨＤＭＩソース機器１０Ａに接続可能であるが、電源供給に非対応のＨＤＭＩソース機器１０Ｂには接続できないようにする。これにより、上述の実施形態と同様に、電源供給に非対応のＨＤＭＩソース機器１０Ｂにポータブルディスプレイ３００を誤って接続してしまい、ＨＤＭＩソース機器１０Ｂの誤動作を招くといった不都合を有効に防止することができる。
【００５６】
（変形例４）
また、上述の実施形態では、映像信号のインタフェースとしてＨＤＭＩを例示したが、これに限らない。例えば、ＤｉｓｐｌａｙＰｏｒｔ（登録商標）、ＭＨＬ（Mobile  High-Definition  Link）（登録商標）、ＨＤ  ＢａｓｅＴ（登録商標）、ＶｂｙＯｎｅ（登録商標）、Ｔｈｕｎｄｅｒｂｏｌｔ（登録商標）など、ＨＤＭＩ以外のインタフェースを利用する場合であっても、本発明は有効に適用可能である。
【００５７】
以上、本発明の実施形態を説明したが、この実施形態は例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１０  ＨＤＭＩソース機器
１３  レセプタクル
１６  凹部
２０  ＨＤＭＩシンク機器
２１  レセプタクル
１００  ＨＤＭＩアクティブ光ケーブル
１１０  ソース側プラグ
１１１  端子
１１２  信号処理部
１１３  ＨＤＭＩ制御部
１２３  突起
１１４  スイッチ
１３０  シンク側プラグ
１３１  信号処理部
１３２  端子
【図１】
2020047381.tif 000003
【図２】
2020047381.tif 000004
【図３】
2020047381.tif 000005
【図４】
2020047381.tif 000006
【図５】
2020047381.tif 000007
【図６】
2020047381.tif 000008
【図７】
2020047381.tif 000009
【図８】
2020047381.tif 000010